(57)【要約】  仮想ネットワーク管理を実施するための方法、装置、およびシステムが提供される。本方法は、ネットワーク機能仮想化オーケストレータまたはオペレーションサポートシステムによって、仮想ネットワーク管理の構成情報を設定するステップであって、構成情報は、以下の構成情報、すなわち、ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報のうちの少なくとも1つまたはこれらの組み合わせを含む、ステップと、ネットワーク管理仮想化管理装置に、構成情報に従ってネットワーク管理機能仮想化を完了させるように命令するステップと、を含む。本技術的解決策によれば、低コストかつ迅速なネットワーク管理配備を実施できる。
2017517211.tif 000002
【特許請求の範囲】
【請求項１】
仮想ネットワーク管理を実施するための方法であって、
ネットワーク機能仮想化オーケストレータまたはオペレーションサポートシステムにより、仮想ネットワーク管理の構成情報を設定するステップであって、前記構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、ステップと、
前記ネットワーク機能仮想化オーケストレータまたは前記オペレーションサポートシステムにより、ネットワーク管理仮想化管理装置に、前記構成情報に従ってネットワーク管理機能仮想化を完了させるように命令するステップと、
を含む方法。
【請求項２】
前記ネットワーク管理機能の前記構成情報は、以下の機能、すなわち、
障害管理機能、構成管理機能、アカウンティング管理機能、性能管理機能、セキュリティ管理機能、拡張仮想化管理機能、仮想化リソースおよびサービス連携機能、または仮想ネットワーク管理による、前記仮想ネットワーク管理によって管理される、ネットワークエレメントと仮想リソースとの間のマッピング関係の調整機能
のうちの1つまたはこれらの組み合わせを実施するために使用される、請求項1に記載の方法。
【請求項３】
前記ネットワーク管理機能と前記別の仮想ネットワークエンティティとの間の前記トポロジ関係の前記構成情報は、以下の構成、すなわち、
前記仮想ネットワーク管理と仮想ネットワークエンティティとの間の相互接続関係、配備時の位置関係設定、または前記仮想ネットワーク管理と仮想ネットワークエンティティとの間の数量比率関係
のうちの1つまたはこれらの組み合わせを含み、
前記仮想ネットワークエンティティは、以下のもの、すなわち、
前記仮想ネットワーク管理によって管理されるネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む、請求項1に記載の方法。
【請求項４】
前記ネットワーク管理関連インターフェースの構成は、前記仮想ネットワーク管理と前記仮想ネットワークエンティティとの間のインターフェース構成を含み、
前記仮想ネットワークエンティティは、以下のもの、すなわち、
前記仮想ネットワーク管理によって管理される仮想機能ネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含み、
前記インターフェース構成は、以下の構成情報、すなわち、
インターフェース名、インターフェース位置、インターフェースコンテンツ記述、インターフェース伝送のためのコンテンツ形式もしくは送信シーケンス、インターフェースによって使用される伝送プロトコル名もしくはプロトコル番号もしくは対応する規格文書番号、インターフェース伝送帯域幅要件、インターフェース伝送遅延要件、インターフェースに対応するアドレス結合要件、アドレス数量要件、またはインターフェースセキュリティポリシー設定
のうちの1つまたはこれらの組み合わせを含む、請求項1に記載の方法。
【請求項５】
前記ライフサイクルの前記構成情報は、以下の構成情報、すなわち、
前記仮想ネットワーク管理のライフサイクル期間、ネットワーク管理起動時点、ネットワーク管理を休止状態にし得るかどうか、および／もしくは休止状態条件、またはネットワーク管理仮想化を完了するために要する時間の制限もしくは時点の制限
のうちの1つまたはこれらの組み合わせを含む、請求項1に記載の方法。
【請求項６】
前記ネットワーク管理性能要件の構成は、以下の構成情報、すなわち、
イベントに対する前記仮想ネットワーク管理の最短応答期間、前記仮想ネットワーク管理の定期的な評価のための最大および／もしくは最小間隔、またはネットワークイベントもしくはネットワーク管理タスクを処理するための前記仮想ネットワーク管理の数量上限もしくは関連するユーザの人数上限
のうちの1つまたはこれらの組み合わせを含む、請求項1に記載の方法。
【請求項７】
前記配備ポリシーの構成は、以下のポリシー、すなわち、
仮想ネットワーク管理を、前記仮想ネットワーク管理によって管理されるネットワークエレメントの汎用装置上に配備すること、仮想ネットワーク管理を、前記仮想ネットワーク管理によって管理される前記ネットワークエレメントの前記汎用装置に隣接する汎用装置上に配備すること、仮想ネットワーク管理を、比較的高い仮想リソース使用率を有する装置上に配備すること、または仮想ネットワーク管理を、予め設定した地理的位置にある装置上に配備すること
のうちの1つまたはこれらの組み合わせを含む、請求項1に記載の方法。
【請求項８】
仮想ネットワーク管理を実施するための方法であって、
ネットワーク管理仮想化管理装置により、ネットワーク機能仮想化オーケストレータまたはオペレーションサポートシステムによって送信される命令を受信するステップと、
前記ネットワーク管理仮想化管理装置により、受信した前記命令に従って構成情報を読み出し、前記構成情報に従ってネットワーク管理機能仮想化を完了するステップであって、前記構成情報は、仮想化を完了するために、前記ネットワーク機能仮想化オーケストレータまたは前記オペレーションサポートシステムによって予め設定される情報であり、前記構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、ステップと、
を含む方法。
【請求項９】
前記ネットワーク管理仮想化管理装置により、受信した前記命令に従って構成情報を読み出し、前記構成情報に従ってネットワーク管理機能仮想化を完了する前記ステップが、
前記ネットワーク管理仮想化管理装置により、受信した前記命令に従って、前記ネットワーク機能仮想化オーケストレータまたは前記オペレーションサポートシステムから前記構成情報を取得するステップと、
前記ネットワーク管理仮想化管理装置により、前記構成情報に従って汎用装置を選択し、選択した前記汎用装置をネットワーク管理に仮想化するステップと、
を含む、請求項8に記載の方法。
【請求項１０】
仮想ネットワーク管理を実施するための装置であって、
仮想ネットワーク管理の構成情報を設定するように構成された第1の設定ユニットであって、前記構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、第1の設定ユニットと、
ネットワーク管理仮想化管理装置に、前記構成情報に従ってネットワーク管理機能仮想化を完了させるように命令するように構成された仮想化命令ユニットと、
を備える装置。
【請求項１１】
前記構成情報が前記ネットワーク管理機能の前記構成情報である場合、前記設定ユニットは、前記仮想ネットワーク管理の以下の機能、すなわち、
障害管理機能、構成管理機能、アカウンティング管理機能、性能管理機能、セキュリティ管理機能、拡張仮想化管理機能、仮想化リソースおよびサービス連携機能、または仮想ネットワーク管理による、前記仮想ネットワーク管理によって管理される、ネットワークエレメントと仮想リソースとの間のマッピング関係の調整機能
のうちの1つまたはこれらの組み合わせを設定するように特に構成される、請求項10に記載の装置。
【請求項１２】
前記構成情報が前記ネットワーク管理機能と前記別の仮想ネットワークエンティティとの間の前記トポロジ関係の前記構成情報である場合、
前記設定ユニットは、前記ネットワーク管理機能と前記別の仮想ネットワークエンティティとの間の前記トポロジ関係を設定するように特に構成され、
前記トポロジ関係は、以下の構成、すなわち、
前記仮想ネットワーク管理と仮想ネットワークエンティティとの間の相互接続関係、配備時の位置関係設定、または前記仮想ネットワーク管理と仮想ネットワークエンティティとの間の数量比率関係
のうちの1つまたはこれらの組み合わせを含み、
前記仮想ネットワークエンティティは、以下のもの、すなわち、
前記仮想ネットワーク管理によって管理されるネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む、請求項10に記載の装置。
【請求項１３】
前記構成情報が前記ネットワーク管理関連インターフェースの前記構成情報である場合、前記設定ユニットは、前記仮想ネットワーク管理と前記仮想ネットワークエンティティとの間のインターフェース構成を設定するように特に構成され、
前記仮想ネットワークエンティティは、以下のもの、すなわち、
前記仮想ネットワーク管理によって管理される仮想機能ネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含み、
前記インターフェース構成は、以下の構成情報、すなわち、
インターフェース名、インターフェース位置、インターフェースコンテンツ記述、インターフェース伝送のためのコンテンツ形式もしくは送信シーケンス、インターフェースによって使用される伝送プロトコル名もしくはプロトコル番号もしくは対応する規格文書番号、インターフェース伝送帯域幅要件、インターフェース伝送遅延要件、インターフェースに対応するアドレス結合要件、アドレス数量要件、またはインターフェースセキュリティポリシー設定
のうちの1つまたはこれらの組み合わせを含む、請求項10に記載の装置。
【請求項１４】
前記構成情報が前記ライフサイクルの前記構成情報である場合、前記設定ユニットは、前記仮想ネットワーク管理の以下の構成情報、すなわち、
前記仮想ネットワーク管理のライフサイクル期間、ネットワーク管理起動時点、ネットワーク管理を休止状態にし得るかどうか、および／もしくは休止状態条件、またはネットワーク管理仮想化を完了するために要する時間の制限もしくは時点の制限
のうちの1つまたはこれらの組み合わせを設定するように特に構成される、請求項10に記載の装置。
【請求項１５】
前記構成情報が前記ネットワーク管理性能要件の構成情報である場合、前記設定ユニットは、前記仮想ネットワーク管理の以下の構成情報、すなわち、
イベントに対する前記仮想ネットワーク管理の最短応答期間、前記仮想ネットワーク管理の定期的な評価のための最大および／もしくは最小間隔、またはネットワークイベントもしくはネットワーク管理タスクを処理するための前記仮想ネットワーク管理の数量上限もしくは関連するユーザの人数上限
のうちの1つまたはこれらの組み合わせを設定するように特に構成される、請求項10に記載の装置。
【請求項１６】
前記構成情報が前記配備ポリシーの構成である場合、前記設定ユニットは、以下のポリシー、すなわち、
仮想ネットワーク管理を、前記仮想ネットワーク管理によって管理されるネットワークエレメントの汎用装置上に配備すること、仮想ネットワーク管理を、前記仮想ネットワーク管理によって管理される前記ネットワークエレメントの前記汎用装置に隣接する汎用装置上に配備すること、仮想ネットワーク管理を、比較的高い仮想リソース使用率を有する装置上に配備すること、または仮想ネットワーク管理を、予め設定した地理的位置にある装置上に配備すること
のうちの1つまたはこれらの組み合わせを設定するように特に構成される、請求項10に記載の装置。
【請求項１７】
仮想ネットワーク管理を実施するための装置であって、
ネットワーク機能仮想化オーケストレータまたはオペレーションサポートシステムによって送信される命令を受信するように構成された受信ユニットと、
受信した前記命令に従って構成情報を読み出し、前記構成情報に従ってネットワーク管理機能仮想化を完了するように構成された仮想化制御ユニットであって、前記構成情報は、仮想化を完了するために、前記ネットワーク機能仮想化オーケストレータまたは前記オペレーションサポートシステムによって予め設定される情報であり、前記構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、仮想化制御ユニットと、
を備える装置。
【請求項１８】
前記仮想化制御ユニットは、
受信した前記命令に従って、前記ネットワーク機能仮想化オーケストレータまたは前記オペレーションサポートシステムから前記構成情報を取得するように構成された読み出しサブユニットと、
前記構成情報に従って汎用装置を選択し、選択した前記汎用装置をネットワーク管理に仮想化するように構成された仮想化サブユニットと、
を備える、請求項17に記載の装置。
【請求項１９】
仮想ネットワーク管理を実施するためのシステムであって、
請求項10から16のいずれか一項に記載の装置と、
請求項17または18に記載の装置と、
を備え、
前記2つの装置が互いに通信する、システム。
【発明の詳細な説明】
【技術分野】
【０００１】
本発明は、通信技術の分野に関し、具体的には、仮想ネットワーク管理を実施するための方法、装置、およびシステムに関する。
【背景技術】
【０００２】
従来の通信ネットワークでは、ネットワークタイプを変える必要がある場合やネットワーク性能を強化する必要がある場合には、例えば、いくつかのネットワークエレメントおよび／またはいくつかのEMSを追加し、既存のネットワークエレメントおよび／または既存のEMSを更新して、ネットワークエレメントとエレメント管理システム（Element Management System、EMS）とを再配備する必要がある。タイプの異なる通信ネットワークは、異なるネットワークエレメント規格を必要とし、規格の異なるネットワークエレメントは、異なるネットワークエレメントインターフェースを使用するため、各ネットワークエレメントを管理するには、各ネットワークエレメントの各インターフェースと互換性のあるEMSが求められる。
【０００３】
一般的に、通信機器製造業者は、その通信機器製造業者が作るネットワークエレメント装置を保守するためのEMSを作る。したがって、通信ネットワークを配備する場合、運用者は、同じ通信機器製造業者が作る、対応する（すなわち、インターフェース互換性）ネットワークエレメント装置と対応するEMS装置とを購入する必要があり、その結果、比較的柔軟性が乏しくなり、比較的ネットワーク配備のコストが高くなる。低コストのネットワーク配備を実施するために、人々は、低コストかつ迅速なネットワーク配備を実施するように、通信ネットワーク仮想化技術を研究し始めている。
【発明の概要】
【課題を解決するための手段】
【０００４】
本発明は、仮想ネットワーク管理を実施するための方法、装置、およびシステムを提供するものであり、その結果、低コストかつ迅速なネットワーク配備という要請を満たすために、汎用装置を使用して仮想ネットワーク管理を実施できる。
【０００５】
上記の技術的課題を解決するために、本発明において使用される技術的解決策は、次のとおりである。
第1の実施態様によれば、本発明は、仮想ネットワーク管理を実施するための方法を提供し、本方法は、
ネットワーク機能仮想化オーケストレータまたはオペレーションサポートシステムにより、仮想ネットワーク管理の構成情報を設定するステップであって、構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、ステップと、
ネットワーク機能仮想化オーケストレータまたはオペレーションサポートシステムにより、ネットワーク管理仮想化管理装置に、構成情報に従ってネットワーク管理機能仮想化を完了させるように命令するステップと、
を含む。
【０００６】
第1の実施態様の第1の可能な実施方式では、ネットワーク管理機能の構成情報は、以下の機能、すなわち、
障害管理機能、構成管理機能、アカウンティング管理機能、性能管理機能、セキュリティ管理機能、拡張仮想化管理機能、仮想化リソースおよびサービス連携機能、または仮想ネットワーク管理による、仮想ネットワーク管理によって管理される、ネットワークエレメントと仮想リソースとの間のマッピング関係の調整機能
のうちの1つまたはこれらの組み合わせを実施するために使用される。
【０００７】
第1の実施態様の第2の可能な実施方式では、ネットワーク管理機能と別の仮想ネットワークエンティティとの間のトポロジ関係の構成情報は、以下の構成、すなわち、
仮想ネットワーク管理と仮想ネットワークエンティティとの間の相互接続関係、配備時の位置関係設定、または仮想ネットワーク管理と仮想ネットワークエンティティとの間の数量比率関係
のうちの1つまたはこれらの組み合わせを含み、
仮想ネットワークエンティティは、以下のもの、すなわち、
仮想ネットワーク管理によって管理されるネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む。
【０００８】
第1の実施態様の第3の可能な実施方式では、ネットワーク管理関連インターフェースの構成は、仮想ネットワーク管理と仮想ネットワークエンティティとの間のインターフェース構成を含み、仮想ネットワークエンティティは、以下のもの、すなわち、
仮想ネットワーク管理によって管理される仮想機能ネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含み、
インターフェース構成は、以下の構成情報、すなわち、
インターフェース名、インターフェース位置、インターフェースコンテンツ記述、インターフェース伝送のためのコンテンツ形式もしくは送信シーケンス、インターフェースによって使用される伝送プロトコル名もしくはプロトコル番号もしくは対応する規格文書番号、インターフェース伝送帯域幅要件、インターフェース伝送遅延要件、インターフェースに対応するアドレス結合要件、アドレス数量要件、またはインターフェースセキュリティポリシー設定
のうちの1つまたはこれらの組み合わせを含む。
【０００９】
第1の実施態様の第4の可能な実施方式では、ライフサイクルの構成情報は、以下の構成情報、すなわち、
仮想ネットワーク管理のライフサイクル期間、ネットワーク管理起動時点、ネットワーク管理を休止状態にし得るかどうか、および／もしくは休止状態条件、またはネットワーク管理仮想化を完了するために要する時間の制限もしくは時点の制限
のうちの1つまたはこれらの組み合わせを含む。
【００１０】
第1の実施態様の第5の可能な実施方式では、ネットワーク管理性能要件の構成は、以下の構成情報、すなわち、
イベントに対する仮想ネットワーク管理の最短応答期間、仮想ネットワーク管理の定期的な評価のための最大および／もしくは最小間隔、またはネットワークイベントもしくはネットワーク管理タスクを処理するための仮想ネットワーク管理の数量上限もしくは関連するユーザの人数上限
のうちの1つまたはこれらの組み合わせを含む。
【００１１】
第1の実施態様の第6の可能な実施方式では、配備ポリシーの構成は、以下のポリシー、すなわち、
仮想ネットワーク管理を、その仮想ネットワーク管理によって管理されるネットワークエレメントの汎用装置上に配備すること、仮想ネットワーク管理を、その仮想ネットワーク管理によって管理されるネットワークエレメントの汎用装置に隣接する汎用装置上に配備すること、仮想ネットワーク管理を、比較的高い仮想リソース使用率を有する装置上に配備すること、または仮想ネットワーク管理を、予め設定した地理的位置にある装置上に配備すること
のうちの1つまたはこれらの組み合わせを含む。
【００１２】
第2の実施態様によれば、本発明は、仮想ネットワーク管理を実施するための方法を提供し、本方法は、
ネットワーク管理仮想化管理装置により、ネットワーク機能仮想化オーケストレータまたはオペレーションサポートシステムによって送信される命令を受信するステップと、
ネットワーク管理仮想化管理装置により、受信した命令に従って構成情報を読み出し、構成情報に従ってネットワーク管理機能仮想化を完了するステップであって、構成情報は、仮想化を完了するために、ネットワーク管理機能仮想化オーケストレータまたはオペレーションサポートシステムによって予め設定される情報であり、構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、ステップと、
を含む。
【００１３】
第2の実施態様の第1の可能な実施方式では、ネットワーク管理仮想化管理装置により、受信した命令に従って構成情報を読み出し、構成情報に従ってネットワーク管理機能仮想化を完了するステップは、
ネットワーク管理仮想化管理装置により、受信した命令に従って、ネットワーク管理機能仮想化オーケストレータまたはオペレーションサポートシステムから構成情報を取得するステップと、
ネットワーク管理仮想化管理装置により、構成情報に従って汎用装置を選択し、選択した汎用装置をネットワーク管理に仮想化するステップと、
を含む。
【００１４】
第3の実施態様によれば、本発明は、仮想ネットワーク管理を実施するための装置を提供し、本装置は、
仮想ネットワーク管理の構成情報を設定するように構成された第1の設定ユニットであって、構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、第1の設定ユニットと、
ネットワーク管理仮想化管理装置に、構成情報に従ってネットワーク管理機能仮想化を完了させるように命令するように構成された仮想化命令ユニットと、
を含む。
【００１５】
第3の実施態様の第1の可能な実施方式では、構成情報がネットワーク管理機能の構成情報である場合、設定ユニットは、仮想ネットワーク管理の以下の機能、すなわち、
障害管理機能、構成管理機能、アカウンティング管理機能、性能管理機能、セキュリティ管理機能、拡張仮想化管理機能、仮想化リソースおよびサービス連携機能、または仮想ネットワーク管理による、仮想ネットワーク管理によって管理される、ネットワークエレメントと仮想リソースとの間のマッピング関係の調整機能
のうちの1つまたはこれらの組み合わせを設定するように特に構成される。
【００１６】
第3の実施態様の第2の可能な実施方式では、構成情報がネットワーク管理機能と別の仮想ネットワークエンティティとの間のトポロジ関係の構成情報である場合、
設定ユニットは、ネットワーク管理機能と別の仮想ネットワークエンティティとの間のトポロジ関係を設定するように特に構成され、トポロジ関係は、以下の構成、すなわち、
仮想ネットワーク管理と仮想ネットワークエンティティとの間の相互接続関係、配備時の位置関係設定、または仮想ネットワーク管理と仮想ネットワークエンティティとの間の数量比率関係
のうちの1つまたはこれらの組み合わせを含み、
仮想ネットワークエンティティは、以下のもの、すなわち、
仮想ネットワーク管理によって管理されるネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む。
【００１７】
第3の実施態様の第3の可能な実施方式では、構成情報がネットワーク管理関連インターフェースの構成情報である場合、設定ユニットは、仮想ネットワーク管理と仮想ネットワークエンティティとの間のインターフェース構成を設定するように特に構成され、仮想ネットワークエンティティは、以下のもの、すなわち、
仮想ネットワーク管理によって管理される仮想機能ネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含み、
インターフェース構成は、以下の構成情報、すなわち、
インターフェース名、インターフェース位置、インターフェースコンテンツ記述、インターフェース伝送のためのコンテンツ形式もしくは送信シーケンス、インターフェースによって使用される伝送プロトコル名もしくはプロトコル番号もしくは対応する規格文書番号、インターフェース伝送帯域幅要件、インターフェース伝送遅延要件、インターフェースに対応するアドレス結合要件、アドレス数量要件、またはインターフェースセキュリティポリシー設定
のうちの1つまたはこれらの組み合わせを含む。
【００１８】
第3の実施態様の第4の可能な実施方式では、構成情報がライフサイクルの構成情報である場合、設定ユニットは、仮想ネットワーク管理の以下の構成情報、すなわち、
仮想ネットワーク管理のライフサイクル期間、ネットワーク管理起動時点、ネットワーク管理を休止状態にし得るかどうか、および／もしくは休止状態条件、またはネットワーク管理仮想化を完了するために要する時間の制限もしくは時点の制限
のうちの1つまたはこれらの組み合わせを設定するように特に構成される。
【００１９】
第3の実施態様の第5の可能な実施方式では、構成情報がネットワーク管理性能要件の構成である場合、設定ユニットは、仮想ネットワーク管理の以下の構成情報、すなわち、
イベントに対する仮想ネットワーク管理の最短応答期間、仮想ネットワーク管理の定期的な評価のための最大および／もしくは最小間隔、またはネットワークイベントもしくはネットワーク管理タスクを処理するための仮想ネットワーク管理の数量上限もしくは関連するユーザの人数上限
のうちの1つまたはこれらの組み合わせを設定するように特に構成される。
【００２０】
第3の実施態様の第6の可能な実施方式では、構成情報が配備ポリシーの構成である場合、設定ユニットは、以下のポリシー、すなわち、
仮想ネットワーク管理を、その仮想ネットワーク管理によって管理されるネットワークエレメントの汎用装置上に配備すること、仮想ネットワーク管理を、その仮想ネットワーク管理によって管理されるネットワークエレメントの汎用装置に隣接する汎用装置上に配備すること、仮想ネットワーク管理を、比較的高い仮想リソース使用率を有する装置上に配備すること、または仮想ネットワーク管理を、予め設定した地理的位置にある装置上に配備すること
のうちの1つまたはこれらの組み合わせを設定するように特に構成される。
【００２１】
第4の実施態様によれば、本発明は、仮想ネットワーク管理を実施するための装置を提供し、本装置は、
ネットワーク機能仮想化オーケストレータまたはオペレーションサポートシステムによって送信される命令を受信するように構成された受信ユニットと、
受信した命令に従って構成情報を読み出し、構成情報に従ってネットワーク管理機能仮想化を完了するように構成された仮想化制御ユニットであって、構成情報は、仮想化を完了するために、ネットワーク管理機能仮想化オーケストレータまたはオペレーションサポートシステムによって予め設定される情報であり、構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、仮想化制御ユニットと、
を含む。
【００２２】
第4の実施態様の第1の可能な実施方式では、仮想化制御ユニットは、
受信した命令に従って、ネットワーク管理機能仮想化オーケストレータまたはオペレーションサポートシステムから構成情報を取得するように構成された読み出しサブユニットと、
構成情報に従って汎用装置を選択し、選択した汎用装置をネットワーク管理に仮想化するように構成された仮想化サブユニットと、
を含む。
【００２３】
第5の実施態様によれば、本発明は、仮想ネットワーク管理を実施するためのシステムをさらに提供し、本システムは、
第3の実施態様または第3の実施態様の第1から第6の可能な実施方式のうちのいずれか1つによる装置と、第4の実施態様または第4の実施態様の第1の可能な実施方式による装置とを含み、これら2つの装置が互いに通信する、システムである。
【００２４】
本発明の実施形態において提供される仮想ネットワーク管理を実施するための方法、装置、およびシステムによれば、通信ネットワークにネットワーク管理システムを配備する必要がある場合、ネットワーク管理機能仮想化オーケストレータまたはオペレーションサポートシステムは、仮想ネットワーク管理の構成情報をまず設定し、構成情報は、以下の構成情報、すなわち、ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報のうちの少なくとも1つまたはこれらの組み合わせを含み、次いで、ネットワーク管理機能仮想化オーケストレータまたはオペレーションサポートシステムは、ネットワーク管理仮想化管理装置に命令して、構成情報に従って、ネットワーク管理機能仮想化を完了させる。本発明の解決策によれば、配備コストを削減するために、仮想化技術を使用して、汎用装置上にネットワーク管理を配備し、その結果、ネットワークエレメントと互換性のあるネットワーク管理装置を購入する必要がなくなり、また、仮想ネットワーク管理が通信ネットワーク内の汎用装置上に配備されることから、運用者による現場での配備オペレーションがもはや必要ではなくなり、それによって、配備のための時間が減り、通信ネットワークの低コストかつ迅速なネットワーク配備という要請が満たされることがわかる。
【００２５】
本発明の実施形態における、または従来技術における技術的な解決策をより明確に説明するために、以下では、実施形態または従来技術を説明するために必要な添付の図面を簡単に説明する。当然のことながら、以下の説明における添付の図面は、本発明の一部の実施形態を単に示すものであり、当業者は、創造的労力なしに、これらの添付の図面から他の図面をさらに導出することができる。
【図面の簡単な説明】
【００２６】
【図１】本発明の一実施形態による、仮想ネットワーク管理を実施するための方法の実施形態1の流れ図である。
【図２】本発明の一実施形態による、仮想ネットワーク管理を実施するための方法の実施形態2の流れ図である。
【図３】本発明の一実施形態による、仮想ネットワーク管理を実施するための方法の実施形態3の流れ図である。
【図４】本発明の一実施形態による、仮想ネットワーク管理を実施するための装置の実施形態1の構造図である。
【図５】本発明の一実施形態による、仮想ネットワーク管理を実施するための装置の実施形態2の構造図である。
【図６】本発明の一実施形態による、インテリジェント端末のハードウェア構成の概略図である。
【図７】本発明の一実施形態による、別のインテリジェント端末のハードウェア構成の概略図である。
【図８】本発明の一実施形態による、仮想ネットワーク管理を実施するためのシステムのアーキテクチャの概略図である。
【発明を実施するための形態】
【００２７】
当業者が本発明の実施形態における解決策をより良く理解することができるように、以下、添付の図面と実施方式とを参照しながら、本発明の実施形態をより詳細に説明する。
【００２８】
図1は、本発明の一実施形態による、仮想ネットワーク管理を実施するための方法を示している。本方法は、以下のステップを含む。
【００２９】
ステップ101．ネットワーク機能仮想化オーケストレータまたはオペレーションサポートシステムが、仮想ネットワーク管理の構成情報を設定し、構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む。
【００３０】
通信システムにおいて、ネットワーク管理は、エレメント管理システム（Element Management System、EMS）であってもよいし、ネットワーク管理システム（Network Management System、NMS）であってもよい。現在、一般的な通信システムはすべて、ネットワークエレメントと、エレメント管理システムと、ネットワーク管理システムとを含む。本発明におけるネットワーク管理は、これらのシステムのうちのエレメント管理システムであってよい。一部の通信システムは、ネットワークエレメントとネットワーク管理システムとだけを含むこともあり、これらの通信システムにおけるネットワーク管理システムは、一般的に、エレメント管理システムの機能と互換性がある。本発明におけるネットワーク管理は、これらのシステムのうちのネットワーク管理システムであってよい。
【００３１】
ネットワークエレメント（Network Element）は、通信システムにおける様々な装置の総称である。例えば、3G広帯域符号分割多元接続（Wideband Code Division Multiple Access、WCDMA（登録商標））ネットワークにおける、無線ネットワーク制御装置（Radio Network Controller、RNC）、サービングGPRSサポートノード（Service GPRS Supporting Node、SGSN）、移動通信交換局（Mobile Switching Center、MSC）、スイッチ、および多重化装置、ならびにロングタームエボリューションシステムにおける発展型NodeBなどの装置は、すべて、ネットワークエレメントと呼ぶことができる。
【００３２】
EMSは、特定のタイプの1つ以上のネットワークエレメントを管理するシステムを指し、EMSは、ネットワークエレメントのオペレーション、制御、および保守を行うことができる。EMSは、ネットワークエレメントをローカルで保守してよく、例えば、EMSは、ネットワークエレメントに直接接続され、EMSとネットワークエレメントとの両方が、LAN（Local Area Network、ローカルエリアネットワーク）内に配置される。EMSはまた、リモート保守環境に適用されてもよく、例えば、EMSは、広域ネットワーク（Wide Area Network、WAN）を使用してネットワークエレメントに接続される。通信機器の保守担当者は、EMSを使用して、マンマシン言語（MNLなど）命令をネットワークエレメントに送信する。命令を受信した後、ネットワークエレメントは、命令の要求に従って稼働し、EMSを使用して稼働結果を運用者に返す。
【００３３】
EMSとネットワークエレメントとの間の関係は、多くの内部インターフェースを含んで、極めて密接である。したがって、それぞれの通信機器製造業者は、その通信機器製造業者が生産するネットワークエレメント装置を保守するためのEMSを供給する。ネットワークエレメントを発売する時、通信機器製造業者は、対応するEMSを同時に売り出す。異なるタイプ、異なるバージョン、および異なる言語のネットワークエレメントに関して、各ネットワークエレメントに対応する異なるEMSがそれぞれ提供される。したがって、システムがネットワークエレメントをアップグレードする必要がある場合、そのネットワークエレメントに対応するEMSの対応するアップグレードをさらに行う必要がある。そうでなければ、保守タスクを完了できない。ネットワーク全体の装置をアップグレードした場合には、複数のネットワークエレメント、複数のバージョン、および複数の言語などの多くの問題を抱えることになり、したがって、ネットワークエレメントとEMSとの間の厳密な1対1対応での配備によってもたらされるこうした不便さが目立ってきた。
【００３４】
通信システムが既存のネットワークエレメントを更新する必要がある場合、またはいくつかのネットワークエレメントを追加する必要がある場合、ネットワークエレメントに対応するEMSも更新する必要がある、または新規に追加したネットワークエレメントと互換性のあるEMSを配備する必要がある。この場合、運用者は、ネットワークエレメントと互換性のあるいくつかのEMS装置を購入し、それらのEMS装置を適切な位置に配備する必要がある。EMS装置のコストが比較的高く、EMS装置の設置は、専門の技術者が行う必要があるため、この配備方式のコストは比較的高く、この配備方式の速度は比較的遅い。
【００３５】
したがって、本発明の本実施形態における仮想ネットワーク管理を実施するための方法によれば、ネットワーク管理は、仮想化方式で設定され、これにより、運用者による現場での配備オペレーションが回避され、低コストかつ高速なネットワーク配備のための通信システムの要件を満たすことができる。
【００３６】
通信システムがネットワーク管理を仮想化する必要がある場合、仮想ネットワーク管理が実装すべき機能、すなわち、ネットワーク管理機能をまず設定する必要がある。仮想ネットワーク管理と仮想ネットワーク管理が管理するネットワークエレメントとの間のインターフェースを互換性のあるものにするために、仮想ネットワーク管理と仮想ネットワーク管理が管理するネットワークエレメントとの間の通信プロトコルをさらに設定する必要がある。通信システムにおけるネットワークエレメントは多様であることから、これには、仮想ネットワーク管理が管理するネットワークエレメントと、別のタイプのネットワークエレメント（例えば、仮想基盤管理装置（Virtualized Infrastructure Manager、VIM））とを含む。通信システム全体において、仮想ネットワーク管理の正常な動作を確実にするために、仮想ネットワーク管理と別のネットワークエレメント（ネットワーク管理が管理するネットワークエレメント以外のネットワークエレメント）との間のトポロジ関係もまた設定する必要がある。仮想ネットワーク管理とシステム内の各ネットワークエレメントとの間で情報が交換されるため、ネットワーク管理とこれらのネットワークエレメントとの間の正常な通信を確実にするために、ネットワーク管理とこれらのネットワークエレメントとの間のインターフェース形式をさらに設定する必要がある。上記の情報が、仮想ネットワーク管理の構成情報であり、仮想ネットワーク管理が確立された場合に、まず設定する必要がある。実際のアプリケーションでは、設定オペレーションは、オペレーションサポートシステムが行ってもよいし、ネットワーク機能仮想化オーケストレータが行ってもよい。
【００３７】
ステップ102．ネットワーク機能仮想化オーケストレータまたはオペレーションサポートシステムは、ネットワーク管理仮想化管理装置に命令して、構成情報に従って、ネットワーク管理機能仮想化を完了させる。
【００３８】
通信システムが仮想ネットワーク管理を確立する必要がある場合、ネットワーク機能仮想化オーケストレータまたはオペレーションサポートシステムは、ネットワーク管理仮想化管理装置に命令を送達し、命令は、ネットワーク管理仮想化管理装置に命令して、構成情報を読み出させるために使用される。例えば、構成情報の格納アドレスを運ぶ命令をネットワーク管理仮想化管理装置に送信してよく、ネットワーク管理仮想化管理装置は、命令を受信した後、構成情報の格納アドレスから対応する情報を読み出す。あるいは、構成情報を運ぶ命令をネットワーク管理仮想化管理装置に送信してよく、ネットワーク管理仮想化管理装置は、命令を受信した後、命令から構成情報を直接読み出す。
【００３９】
場合により、ネットワーク機能仮想化オーケストレータが、構成情報をカタログファイル（例えば、Catalogファイル）としてまず保存し、次いで、ネットワーク管理仮想化管理装置に命令して、カタログファイルを読み出させ、その結果、ネットワーク管理仮想化管理装置は、カタログファイルに従って汎用装置をネットワーク管理に仮想化する。あるいは、オペレーションサポートシステムが、構成情報をカタログファイルとしてまず保存し、次いで、ネットワーク管理仮想化管理装置に命令して、カタログファイルを読み出させ、その結果、ネットワーク管理仮想化管理装置は、カタログファイルに従って汎用装置をネットワーク管理に仮想化する。
【００４０】
カタログファイルを読み出した後、ネットワーク管理仮想化管理装置は、カタログファイル内の構成情報に従って汎用装置をネットワーク管理に仮想化してよい。
【００４１】
場合により、ネットワーク管理機能の構成情報は、以下の機能、すなわち、
障害管理機能、構成管理機能、アカウンティング管理機能、性能管理機能、セキュリティ管理機能、拡張仮想化管理機能、仮想化リソースおよびサービス連携機能、または仮想ネットワーク管理による、仮想ネットワーク管理が管理する、ネットワークエレメントと仮想リソースとの間のマッピング関係の調整機能
のうちの1つまたはこれらの組み合わせを実施するために使用される。
【００４２】
障害管理は、エレメント管理の最も基本的な機能のうちの1つである。ネットワーク内の特定のネットワークエレメントに障害があり、適切にサービスを提供できない場合、エレメント管理システムは、障害を特定し、障害を適時に修正する。一般的に、障害管理は、障害の検出、分離、および修正という3つの側面を含むため、障害管理機能は、以下の機能、すなわち、
エラーログの保守および確認、エラー検出レポートの受信および応答、エラーの追跡および特定、診断試験の実行およびエラーの修正
を含み得る。
【００４３】
構成管理機能は、ネットワークエレメントが通信ネットワークサービスを提供できるようにするために、ネットワークエレメントを初期化すること、およびネットワークエレメントを構成することを指す。構成管理の目的は、特定の機能を実装すること、またはネットワーク性能を最適化することである。したがって、構成管理機能は、以下の機能、すなわち、
管理されるネットワークエレメントと管理されるネットワークエレメント群の名前の管理、管理されるネットワークエレメントの初期化または無効化、要件に応じたネットワークエレメントに関する情報の収集、ネットワークエレメントの重要なパラメータの変化情報の監視、およびネットワークエレメント構成の変更
を含み得る。
【００４４】
アカウンティング管理機能は、ネットワーク運用の料金およびコストを制御および監視する目的で、ネットワークリソースの使用に応じたアカウンティング統計値を収集するために使用される。
【００４５】
性能管理機能は、システムリソースの使用を管理するために使用され、この機能は、管理されるネットワークエレメントと管理されるネットワークエレメントがサービスを提供する性能機構との監視および解析を含み得る。性能管理機能は、統計情報の収集と、システム状態ログの保守および確認とを含み得る。
【００４６】
通信ネットワークには比較的高い通信セキュリティが必要とされるため、通信ネットワークには主として以下のセキュリティ問題、すなわち、ネットワークデータの秘匿性（侵入者が不正に取得しないように、ネットワークデータを保護すること）と、認可（侵入者がネットワーク上で不正な情報を送信しないようにすること）と、アクセス制御（ネットワークリソースへのアクセスを制御すること）とがある。これに伴い、ネットワークセキュリティ管理は、認可機構、アクセス制御、暗号化、および暗号化キーワードを管理することと、セキュリティログを保守および確認することとを含み得る。もちろん、構成情報がネットワーク管理機能である場合、仮想ネットワーク管理のためのネットワーク計画、ネットワーク運用者の管理などをさらに設定してよい。
【００４７】
場合により、ネットワーク管理機能と別の仮想ネットワークエンティティとの間のトポロジ関係の構成情報は、以下の構成、すなわち、
仮想ネットワーク管理と仮想ネットワークエンティティとの間の相互接続関係、配備時の位置関係設定、または仮想ネットワーク管理と仮想ネットワークエンティティとの間の数量比率関係
のうちの1つまたはこれらの組み合わせを含む。
【００４８】
仮想ネットワークエンティティは、以下、すなわち、
仮想ネットワーク管理が管理するネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む。
【００４９】
場合により、ネットワーク管理関連インターフェースの構成は、仮想ネットワーク管理と仮想ネットワークエンティティとの間のインターフェース構成を含む。
【００５０】
仮想ネットワークエンティティは、以下、すなわち、
仮想ネットワーク管理が管理する仮想機能ネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む。
【００５１】
インターフェース構成は、以下の構成情報、すなわち、
インターフェース名、インターフェース位置、インターフェースコンテンツ記述、インターフェース伝送のためのコンテンツ形式もしくは送信シーケンス、インターフェースが使用する伝送プロトコル名もしくはプロトコル番号もしくは対応する規格文書番号、インターフェース伝送帯域幅要件、インターフェース伝送遅延要件、インターフェースに対応するアドレス結合要件、アドレス数量要件、またはインターフェースセキュリティポリシー設定
のうちの1つまたはこれらの組み合わせを含む。
【００５２】
インターフェースコンテンツ記述は、インターフェースにおいて転送する必要がある情報または信号であってよく、これはまた、標準インターフェースに対応する文書番号を使用して記述されてよく、インターフェース形式は、インターフェースがインターフェースコンテンツを転送する形式を意味し、XMLやCORBAなどの特定の形式のプロトコルを指定してよく、どのコンテンツをどの形態で最初に転送するかを指定でき、次いで、どのコンテンツをどの形態で後に転送するかを指定してよい。
【００５３】
ネットワーク管理システムを通信ネットワーク内へ実際に配備した後、その通信ネットワークがそのネットワーク管理システムを必要としなくなった場合や再配備する必要がある場合には、元の装置を取り除く必要がある。通信システムに柔軟かつ制御可能な仮想ネットワーク管理を提供するために、本発明では、仮想ネットワーク管理のライフサイクルの構成をさらに考慮する。
【００５４】
場合により、ライフサイクルの構成情報は、以下の構成情報、すなわち、
仮想ネットワーク管理のライフサイクル期間、ネットワーク管理起動時点、ネットワーク管理を休止状態にし得るかどうか、および／もしくは休止状態条件、またはネットワーク管理仮想化を完了するために要する時間の制限もしくは時点の制限
のうちの1つまたはこれらの組み合わせを含む。
【００５５】
ライフサイクルは、仮想ネットワーク管理の作業サイクルを指す。仮想ネットワーク管理のライフサイクルが終了すると、仮想ネットワーク管理の汎用装置は、仮想ネットワーク管理の動作を停止し、仮想ネットワーク管理に割り当てられているリソースを開放する。ライフサイクルは、特定の瞬間であってよく、例えば、仮想ネットワーク管理のライフサイクルの時間を指定された年の指定された月の指定された日の指定された時間に設定してよく、その時間になると、仮想ネットワーク管理は、作業サイクルを終了し、存在しなくなる。ライフサイクルは、仮想ネットワーク管理がインスタンス化された瞬間から開始する期間オフセットであってもよく、例えば、仮想ネットワーク管理のライフサイクルとして3か月の期間オフセットを設定してよく、仮想ネットワーク管理がインスタンス化から3か月動作したならば、仮想ネットワーク管理は動作を停止する。ライフサイクルは、終了条件であってよく、仮想ネットワーク管理が終了条件を満たした場合、作業サイクルは終了し、仮想ネットワーク管理は存在しなくなる。例えば、終了条件は、以下のように、すなわち、仮想ネットワーク管理が管理するネットワークエレメントの数が予め設定した閾値（例えば、1）未満である場合、仮想ネットワーク管理は動作を停止する、といったように設定してよい。
【００５６】
いわゆる存在期間とライフサイクルとの間の違いは、仮想ネットワーク管理の作業時間が存在期間に到達した場合、仮想ネットワーク管理はライフサイクルを終了するが、仮想ネットワーク管理の汎用装置は、仮想ネットワーク管理に割り当てられているリソースを開放しないということである。存在期間を設定する目的は、通信システムが仮想ネットワーク管理を再び有効化する必要がある場合に、仮想ネットワーク管理を、再配備を要することなく、迅速に開始できることである。存在期間の設定については、上記のライフサイクルの設定を参照されたく、ここでは細部を説明しない。
【００５７】
もちろん、通信システムが仮想ネットワーク管理に永続的なサービスを提供することを要求する場合、仮想ネットワーク管理のライフサイクルや存在期間を永続的なものと設定してよい。
【００５８】
仮想ネットワーク管理のライフサイクルや存在期間を設定する方式により、仮想ネットワーク管理システムが、通信ネットワーク管理の実際の要件を満たすことができ、その結果、運用者による現場でのオペレーションを要することなく、仮想ネットワーク管理の存在状態を自動的に制御できる。
【００５９】
益々高まる、通信品質に対する人々の要求を満たすために、通信ネットワークを配備する際には、各フェーズの通信品質を考慮する必要がある。このことを踏まえて、本発明では、仮想ネットワーク管理の通信品質が通信ネットワーク全体の要件を満たすことを確実にするために、仮想ネットワーク管理性能要件の構成をさらに設定できる。
【００６０】
場合により、ネットワーク管理性能要件の構成は、以下の構成情報、すなわち、
イベントに対する仮想ネットワーク管理の最短応答期間、仮想ネットワーク管理の定期的な評価のための最大および／もしくは最小間隔、またはネットワークイベントもしくはネットワーク管理タスクを処理するための仮想ネットワーク管理の数量上限もしくは関連するユーザの人数上限
のうちの1つまたはこれらの組み合わせを含む。
【００６１】
通信システムにおいて仮想化できる汎用装置が1つだけしかない場合、ネットワーク管理仮想化管理装置は、汎用装置上に仮想ネットワーク管理を配備する。通信システムにおいて仮想化できる通信装置が複数ある場合、本発明では、通信ネットワークリソースをより良く使用するために、配備ポリシーの構成をさらに考慮する。
【００６２】
場合により、配備ポリシーの構成は、以下のポリシー、すなわち、
仮想ネットワーク管理を、その仮想ネットワーク管理が管理するネットワークエレメントの汎用装置上に配備すること、仮想ネットワーク管理を、その仮想ネットワーク管理が管理するネットワークエレメントの汎用装置に隣接する汎用装置上に配備すること、仮想ネットワーク管理を、比較的高い仮想リソース使用率を有する装置上に配備すること、または仮想ネットワーク管理を、予め設定した地理的位置にある装置上に配備すること
のうちの1つまたはこれらの組み合わせを含む。
【００６３】
仮想ネットワーク管理を実施する場合、特定のシナリオ要件に従って、上記構成情報の1つ以上のタイプを設定してよいことに留意されたい。
【００６４】
例えば、ネットワーク管理をシステム内に配備する必要がある場合、設定する必要がある構成情報は、ネットワーク管理機能の構成情報と、ネットワーク管理機能と別の仮想ネットワークエンティティとの間のトポロジ関係の構成情報とを少なくとも含む。
【００６５】
仮想ネットワーク管理の作業サイクルを制御する必要がある場合、ライフサイクルの構成情報をさらに設定する必要がある。ネットワーク管理関連インターフェースの構成情報を再構成する必要がある場合、ネットワーク管理関連インターフェースの構成情報をさらに設定する必要がある。実際のアプリケーションでは、ネットワーク管理性能に関する特定の要件が存在し、例えば、ネットワーク管理の既存の処理速度の場合、ネットワーク管理の処理速度を改善する必要がある場合、ネットワーク管理性能要件の構成情報をさらに設定する必要がある。ネットワーク管理を配備することが難しい、実際のシナリオでは、配備因子を考慮する必要があり、この場合、実際の配備要件を満たすために、配備ポリシーの構成情報をさらに設定する必要がある。上記の異なる構成情報により、仮想ネットワーク管理は、異なる実際の要件を満たすことができる。したがって、実際のアプリケーションでは、特定のネットワーク要件に従って、構成情報の1つ以上のタイプを設定してよい。
【００６６】
上記実施形態から、本発明において提供される仮想ネットワーク管理を実施するための方法によれば、ネットワーク機能仮想化オーケストレータまたはオペレーションサポートシステムが、仮想ネットワーク管理の構成情報をまず設定し、次いで、ネットワーク管理仮想化管理装置に命令して、構成情報に従って、ネットワーク管理機能仮想化を完了させ、最終的に、仮想ネットワーク管理を実施することがわかる。仮想ネットワーク管理のための基盤は様々な汎用装置であり、仮想ネットワーク管理の配備は自動制御プロセスであり、その結果、現場で技術者によって対応する装置を配備する必要がなく、仮想ネットワーク管理は、既存の通信ネットワークにある汎用装置に実施するだけでよい。したがって、仮想ネットワーク管理の方法によれば、低コストかつ迅速なネットワーク管理配備を実施でき、通信ネットワークの配備要件を満たすことができる。
【００６７】
実際のアプリケーションにおいて、仮想ネットワーク管理の、より良い可制御性とより高い柔軟性とを確実にするために、本発明は、好ましい解決策をさらに提供する。
【００６８】
図2は、本発明の一実施形態による、仮想ネットワーク管理を実施するための方法の実施形態2の流れ図を示しており、本方法は、以下を含み得る。
ステップ201．ネットワーク機能仮想化オーケストレータまたはオペレーションサポートシステムが、仮想ネットワーク管理の構成情報を設定し、構成情報は、ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報を少なくとも含む。
【００６９】
本ステップにおける様々な構成情報は、本方法の実施形態1における構成情報と同じであり、ここでは細部を説明しない。
【００７０】
ステップ202．ネットワーク機能仮想化オーケストレータまたはオペレーションサポートシステムは、ネットワーク管理仮想化管理装置に命令して、構成情報に従って、ネットワーク管理機能仮想化を完了させる。
【００７１】
以下、配備ポリシーの構成情報のみを、説明および記述のための例として使用する。
【００７２】
本実施形態において、配備ポリシーの構成情報を設定する目的は、ネットワーク管理仮想化管理装置に、これに従って適切な汎用装置を選択し、次いで、選択された汎用装置上に仮想ネットワーク管理を配備する特定のポリシーを通知することである。
【００７３】
通信システムに仮想ネットワーク管理を配備することは、システム内の1つ以上のネットワークエレメントを管理することが意図されている。したがって、ネットワークエレメントをより簡便に管理するために、仮想ネットワーク管理を、その仮想ネットワーク管理が管理するネットワークエレメントの汎用装置上に配備してよいし、そうでなければ仮想ネットワーク管理を、その仮想ネットワーク管理が管理するネットワークエレメントの汎用装置に隣接する汎用装置上に配備する。例えば、仮想ネットワーク管理が、ただ1つのネットワークエレメントを管理し、かつネットワークエレメントが汎用サーバ1上に配備される場合、仮想ネットワーク管理は、汎用サーバ1上に配備させることもできるし、そうでなければ仮想ネットワーク管理は、汎用サーバ1に隣接する汎用サーバ2上に配備させる。仮想ネットワーク管理が複数のネットワークエレメントを管理する場合、仮想ネットワーク管理は、任意のネットワークエレメントの汎用サーバ上に配備される。
【００７４】
通信ネットワークリソースの合理的な割り当ておよび利用を確実にするために、仮想ネットワーク管理を配備する場合に仮想リソースの使用を考慮してよい。具体的には、仮想化リソースが使用されていない汎用装置上に仮想ネットワーク管理を配備することをできる限り回避するために、通信ネットワークにおいて仮想化され得る装置の仮想リソース使用率が解析され、次いで、仮想ネットワーク管理は、最も高いリソース使用率または2番目に高いリソース使用率の汎用装置上に配備され、このことにより、障害発生の可能性を低減でき、管理コストを削減できる。
【００７５】
もちろん、仮想ネットワーク管理の地理的位置をさらに予め設定してよい、すなわち、仮想ネットワーク管理は、設定された地理的位置にある汎用装置上に配備される。あるいは、仮想ネットワーク管理が占める仮想リソース群をさらに予め設定してよく、その結果、仮想ネットワーク管理は、これらの仮想リソース群を有する特定の装置に応じて汎用装置上に配備される。あるいは、仮想ネットワーク管理の汎用装置（物理サーバ）のネットワークアドレスをさらに予め設定してよく、対応する汎用装置は、ネットワークアドレスに従って仮想ネットワーク管理として配備される。
【００７６】
実際のアプリケーションでは、ネットワーク機能仮想化オーケストレータが、設定された構成情報をカタログファイルとして保存し、次いで、ネットワーク管理仮想化管理装置に命令して、カタログファイルを読み出させてよく、その結果、ネットワーク管理仮想化管理装置は、カタログファイルに従って汎用装置をネットワーク管理に仮想化する。命令を受信した後、ネットワーク管理仮想化管理装置は、カタログファイルを読み出し、次いで、カタログファイル内の配備ポリシーの構成情報に従って適切な汎用装置を選択し、カタログファイル内の他の構成情報に従って選択された汎用装置をネットワーク管理に仮想化する。
【００７７】
この好ましい解決策では、仮想ネットワーク管理を実施する前に、関連する構成情報を設定し、ネットワーク管理機能の構成情報と、ネットワーク管理機能と別の仮想ネットワークエンティティとの間のトポロジ関係の構成情報と、ネットワーク管理関連インターフェースの構成情報と、ライフサイクルの構成情報と、ネットワーク管理性能要件の構成情報と、配備ポリシーの構成情報とが考慮される。情報を構成することにより、仮想ネットワーク管理を実施するプロセスを比較的良好な柔軟性を有する高い可制御性の仮想化プロセスとすることができ、また、仮想ネットワーク管理は、通信システムのリソースの合理的な使用を確実にするために、実際のアプリケーションの要件を満たすことができる。
【００７８】
本発明の一実施形態は、仮想ネットワーク管理を実施するための方法をさらに提供するものであり、ネットワーク管理仮想化管理装置の観点から本方法を説明する。
【００７９】
図3は、本発明の一実施形態による、仮想ネットワーク管理を実施するための方法の実施形態3の流れ図を示しており、本方法は、以下を含み得る。
ステップ301．ネットワーク管理仮想化管理装置は、ネットワーク機能仮想化オーケストレータまたはオペレーションサポートシステムが送信した命令を受信する。
【００８０】
ステップ302．ネットワーク管理仮想化管理装置は、受信した命令に従って構成情報を読み出し、かつ構成情報に従ってネットワーク管理機能仮想化を完了し、構成情報は、仮想化を完了するために、ネットワーク管理機能仮想化オーケストレータまたはオペレーションサポートシステムが予め設定した情報であり、構成情報は、以下の構成情報、すなわち、ネットワーク管理機能の構成、ネットワーク管理機能と別の仮想ネットワークエンティティとの間のトポロジ関係の構成、ネットワーク管理関連インターフェースの構成、ライフサイクルの構成、ネットワーク管理性能要件の構成、または配備ポリシーの構成のうちの少なくとも1つまたはこれらの組み合わせを含む。
【００８１】
ネットワーク管理仮想化管理装置が、受信した命令に従って構成情報を読み出し、構成情報に従ってネットワーク管理機能仮想化を完了することの重要な点は、ネットワーク管理仮想化管理装置が、汎用装置（例えば、業界規格に準拠するサーバ、記憶装置、およびスイッチング装置）上のネットワーク管理を仮想化し、仮想ネットワーク管理が、通信ネットワーク内の専用のネットワーク管理装置と置き換わることができることである。汎用装置のコストは低いため、汎用装置を使用することにより、投資コストを減らすことができる。
【００８２】
場合により、ネットワーク管理仮想化管理装置によって、受信した命令に従って構成情報を読み出し、かつ構成情報に従ってネットワーク管理機能仮想化を完了する、ステップは、
ネットワーク管理仮想化管理装置によって、受信した命令に従って、ネットワーク管理機能仮想化オーケストレータから構成情報を取得するステップと、
ネットワーク管理仮想化管理装置によって、構成情報に従って汎用装置を選択し、かつ選択された汎用装置をネットワーク管理に仮想化する、ステップと、
を含む。
【００８３】
仮想ネットワーク管理を配備する必要がある場合、ネットワーク管理仮想化管理装置は、ネットワーク管理機能仮想化オーケストレータまたはオペレーションサポートシステムが送信した命令をまず受信し、命令に従って対応する構成情報を取得し、次いで、ネットワーク管理仮想化管理装置は、構成情報に従ってネットワーク管理仮想化を完了する。異なるタイプのネットワークエレメントに対してこの方法を使用することによって、各ネットワークエレメントに対応するネットワーク管理装置を購入する必要がなくなり、この方法により各ネットワークエレメントに対応する仮想ネットワーク管理を配備するだけで、低コストかつ迅速なネットワーク管理配備を実施できる。
【００８４】
既存の通信ネットワーク内のネットワーク管理装置に障害がある場合、通信ネットワークに危険をもたらさぬよう、ネットワーク管理装置を専門の技術者によって適時に保守する必要がある。ネットワーク管理装置は、保守した後にのみ適切に動作し得るが、特定の危険は、保守期間中に通信ネットワークにそれでも生じる。この問題を解決するために、本発明の本実施形態における仮想ネットワーク管理は、仮想ネットワーク管理の正常な動作を確実にするために、仮想ネットワーク管理の汎用装置に障害がある場合、仮想ネットワーク管理を正常な汎用装置に移行できる。
【００８５】
仮想ネットワーク管理は、汎用装置を仮想化することによって生成され、仮想ネットワーク管理は、汎用装置のオペレーティングシステムおよびハードウェア装置とは独立している。汎用装置を仮想化した後、コンピューティングリソースはすべてプールされ、リソースプール内のノードに障害がある場合、または汎用装置が別のハードウェア障害に遭遇した場合、汎用装置上で稼働する仮想ネットワーク管理は、適切に動作できない。したがって、本発明の本実施形態における方法を、汎用装置をネットワーク管理に仮想化するために使用した後、汎用装置上の仮想ネットワーク管理に障害があることがわかった場合、ネットワーク管理仮想化管理装置は、仮想ネットワーク管理の正常な動作を確実にするために、仮想ネットワーク管理を正常な汎用装置に適時に移行してよい。
【００８６】
上記実施形態1における仮想ネットワーク管理を実施するための方法に対応して、本発明の一実施形態は、仮想ネットワーク管理を実施するための装置を提供し、本装置はまた、上記実施形態1におけるネットワーク管理機能仮想化オーケストレータまたはオペレーションサポートシステムとみなすことができる。
【００８７】
図4は、本発明の一実施形態による、仮想ネットワーク管理を実施するための装置の実施形態1の流れ図を示しており、本装置は、第1の設定ユニット401と仮想化命令ユニット402とを含み得る。以下、装置の動作原理に関連して、装置内のユニット間の接続関係を説明する。
【００８８】
第1の設定ユニット401は、仮想ネットワーク管理の構成情報を設定するように構成され、構成情報は、以下の構成情報、すなわち、ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報のうちの少なくとも1つまたはこれらの組み合わせを含む。
【００８９】
仮想化命令ユニット402は、ネットワーク管理仮想化管理装置に命令して、構成情報に従って、ネットワーク管理機能仮想化を完了させるように構成される。
【００９０】
場合により、構成情報がネットワーク管理機能の構成情報である場合、設定ユニットは、仮想ネットワーク管理の以下の機能、すなわち、
障害管理機能、構成管理機能、アカウンティング管理機能、性能管理機能、セキュリティ管理機能、拡張仮想化管理機能、仮想化リソースおよびサービス連携機能、または仮想ネットワーク管理による、仮想ネットワーク管理が管理する、ネットワークエレメントと仮想リソースとの間のマッピング関係の調整機能
のうちの1つまたはこれらの組み合わせを設定するように特に構成される。
【００９１】
場合により、構成情報がネットワーク管理機能と別の仮想ネットワークエンティティとの間のトポロジ関係の構成情報である場合は、
設定ユニットは、ネットワーク管理機能と別の仮想ネットワークエンティティとの間のトポロジ関係を設定するように特に構成され、トポロジ関係は、以下の構成、すなわち、
仮想ネットワーク管理と仮想ネットワークエンティティとの間の相互接続関係、配備時の位置関係設定、または仮想ネットワーク管理と仮想ネットワークエンティティとの間の数量比率関係
のうちの1つまたはこれらの組み合わせを含む。
【００９２】
仮想ネットワークエンティティは、以下、すなわち、
仮想ネットワーク管理が管理するネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む。
【００９３】
場合により、構成情報がネットワーク管理関連インターフェースの構成情報である場合、設定ユニットは、仮想ネットワーク管理と仮想ネットワークエンティティとの間のインターフェース構成を設定するように特に構成され、仮想ネットワークエンティティは、以下、すなわち、
仮想ネットワーク管理が管理する仮想機能ネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む。
【００９４】
インターフェース構成は、以下の構成情報、すなわち、
インターフェース名、インターフェース位置、インターフェースコンテンツ記述、インターフェース伝送のためのコンテンツ形式もしくは送信シーケンス、インターフェースが使用する伝送プロトコル名もしくはプロトコル番号もしくは対応する規格文書番号、インターフェース伝送帯域幅要件、インターフェース伝送遅延要件、インターフェースに対応するアドレス結合要件、アドレス数量要件、またはインターフェースセキュリティポリシー設定
のうちの1つまたはこれらの組み合わせを含む。
【００９５】
場合により、構成情報がライフサイクルの構成情報である場合、設定ユニットは、仮想ネットワーク管理の以下の構成情報、すなわち、
仮想ネットワーク管理のライフサイクル期間、ネットワーク管理起動時点、ネットワーク管理を休止状態にし得るかどうか、および／もしくは休止状態条件、またはネットワーク管理仮想化を完了するために要する時間の制限もしくは時点の制限
のうちの1つまたはこれらの組み合わせを設定するように特に構成される。
【００９６】
場合により、構成情報がネットワーク管理性能要件の構成である場合、設定ユニットは、仮想ネットワーク管理の以下の構成情報、すなわち、
イベントに対する仮想ネットワーク管理の最短応答期間、仮想ネットワーク管理の定期的な評価のための最大および／もしくは最小間隔、またはネットワークイベントもしくはネットワーク管理タスクを処理するための仮想ネットワーク管理の数量上限もしくは関連するユーザの人数上限
のうちの1つまたはこれらの組み合わせを設定するように特に構成される。
【００９７】
場合により、構成情報が配備ポリシーの構成である場合、設定ユニットは、以下のポリシー、すなわち、
仮想ネットワーク管理を、その仮想ネットワーク管理が管理するネットワークエレメントの汎用装置上に配備すること、仮想ネットワーク管理を、その仮想ネットワーク管理が管理するネットワークエレメントの汎用装置に隣接する汎用装置上に配備すること、仮想ネットワーク管理を、比較的高い仮想リソース使用率を有する装置上に配備すること、または仮想ネットワーク管理を、予め設定した地理的位置にある装置上に配備すること
のうちの1つまたはこれらの組み合わせを設定するように特に構成される。
【００９８】
仮想ネットワーク管理を通信ネットワークシステムに配備する必要がある場合、本装置は、第1の設定ユニットを使用して仮想ネットワーク管理の構成情報をまず設定するために使用してよく、次いで、仮想化命令ユニットを使用して、ネットワーク管理仮想化管理装置に命令して、仮想化オペレーションを行わせる。異なるタイプのネットワークエレメントに対して装置を使用したならば、各ネットワークエレメントと互換性のあるネットワーク管理システムを購入する必要はなくなり、仮想ネットワーク管理の構成情報を設定して、仮想ネットワーク管理が対応するタイプのネットワークエレメントに適合され得るようにするだけでよい。加えて、仮想化方式は、手動配備のコストを削減する。したがって、本装置は、低コストかつ迅速なネットワーク管理配備を実施できる。
【００９９】
上記実施形態3における仮想ネットワーク管理を実施するための方法に対応して、本発明の一実施形態は、仮想ネットワーク管理を実施するための装置を提供し、本装置はまた、上記実施形態3におけるネットワーク管理仮想化管理装置とみなすことができる。
【０１００】
図5は、本発明の一実施形態による、仮想ネットワーク管理を実施するための装置の実施形態2の流れ図を示しており、本装置は、受信ユニット501と仮想化制御ユニット502とを含み得る。以下、装置の動作原理に関連して、装置内のユニット間の接続関係を説明する。
【０１０１】
受信ユニット501は、ネットワーク機能仮想化オーケストレータまたはオペレーションサポートシステムが送信した命令を受信するように構成される。
【０１０２】
仮想化制御ユニット502は、受信した命令に従って構成情報を読み出し、かつ構成情報に従ってネットワーク管理機能仮想化を完了するように構成され、構成情報は、仮想化を完了するために、ネットワーク管理機能仮想化オーケストレータまたはオペレーションサポートシステムが予め設定した情報であり、構成情報は、以下の構成情報、すなわち、ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報のうちの少なくとも1つまたはこれらの組み合わせを含む。
【０１０３】
場合により、仮想化制御ユニットは、
受信した命令に従って、ネットワーク管理機能仮想化オーケストレータまたはオペレーションサポートシステムから構成情報を取得するように構成された読み出しサブユニットと、
構成情報に従って汎用装置を選択し、かつ選択された汎用装置をネットワーク管理に仮想化するように構成された仮想化サブユニットと、
を含む。
【０１０４】
仮想ネットワーク管理を通信ネットワークシステムに配備する必要がある場合、本装置は、異なるタイプのネットワークエレメントに対して使用され、各ネットワークエレメントと互換性のあるネットワーク管理システムを購入する必要はなくなり、受信した命令に従って対応する構成情報を取得するだけでよく、そうすると、構成情報に従って汎用装置がネットワーク管理に仮想化される。したがって、本装置を使用することにより、低コストかつ迅速なネットワーク管理配備を実施できる。
【０１０５】
またさらに、本発明の一実施形態は、仮想ネットワーク管理を実施するための上記装置のハードウェア構成をさらに提供する。ハードウェア構成は、少なくとも1つのプロセッサ（例えば、CPU）と、少なくとも1つのネットワークインターフェースまたは別の通信インターフェースと、メモリと、これらの装置間の接続および通信を実施するように構成された少なくとも1つの通信バスとを含み得る。プロセッサは、メモリに格納されたコンピュータプログラムなどの実行可能モジュールを実行するように構成される。メモリは、高速ランダムアクセスメモリ（RAM：Random Access Memory）を含んでよく、また、少なくとも1つの磁気ディスクメモリなどの不揮発性メモリ（non-volatile memory）を含んでよい。少なくとも1つのネットワークインターフェース（有線であっても無線であってもよい）は、インターネット、広域ネットワーク、ローカルエリアネットワーク、メトロポリタンエリアネットワークなどを介する、システムゲートウェイと少なくとも1つの他のネットワークエレメントとの間の通信接続を実施する。
【０１０６】
図6を参照すると、一部の実施方式では、メモリは、プログラム命令を格納し、プログラム命令は、プロセッサによって実行されてよく、プログラム命令は、第1の設定ユニット401と仮想化命令ユニット402とを含み得る。
【０１０７】
図7を参照すると、一部の実施方式では、メモリは、プログラム命令を格納し、プログラム命令は、プロセッサによって実行されてよく、プログラム命令は、受信ユニット501と仮想化制御ユニット502とを含み得る。
【０１０８】
さらに、本発明の一実施形態は、仮想ネットワーク管理を実施するためのシステムをさらに提供し、本システムは、上記装置の実施形態1による装置と、上記装置の実施形態2による装置とであって、これら2つの装置が互いに通信する、上記装置の実施形態1による装置と、上記装置の実施形態2による装置と
を含む。つまり、本システムは、ネットワーク機能仮想化オーケストレータとネットワーク管理仮想化管理装置とを含み得る。あるいは、本システムは、オペレーションサポートシステムとネットワーク管理仮想化管理装置とを含む。
【０１０９】
本発明の一実施形態は、仮想ネットワーク管理を実施するためのシステムをさらに提供する。図8は、本発明の一実施形態による仮想ネットワーク管理を実施するためのシステムアーキテクチャの概略図を示しており、本システムは、オペレーションサポートシステム（Operation Support System、OSS）ノード10と、NFVO（Network Function Virtualization Orchestrator、ネットワーク機能仮想化オーケストレータ）ノード20と、V-O＆M Manager（Virtual Network management Manager、ネットワーク管理仮想化管理装置）ノード30と、VNF（Virtual Network Function、仮想ネットワーク機能）ノード40と、VNFM（Virtual Network Function Manager、仮想ネットワーク機能管理装置）ノード50と、VIM（Virtualized Infrastructure Manager、仮想基盤管理装置）ノード60と、VFVI（Virtual Network Function Manager、ネットワーク機能仮想基盤）ノード70と、V-O＆M（Virtual Network management、仮想ネットワーク管理）80とを含み得る。
【０１１０】
オペレーションサポートシステム10は、仮想ネットワーク管理80とネットワーク機能仮想化オーケストレータ20とに個別に接続される。仮想ネットワーク管理80は、仮想ネットワーク機能40と仮想ネットワーク機能管理装置50とに個別に接続される。ネットワーク管理仮想化管理装置30は、ネットワーク機能仮想化オーケストレータ20とオペレーションサポートシステム10とに接続される。仮想ネットワーク機能40は、ネットワーク機能仮想基盤70と仮想ネットワーク機能管理装置50とに個別に接続される。ネットワーク機能仮想化オーケストレータ20は、仮想ネットワーク機能管理装置50に接続される。仮想ネットワーク機能管理装置50は、仮想基盤管理装置60に接続される。仮想基盤管理装置60は、ネットワーク機能仮想基盤70に接続される。
【０１１１】
上記仮想ネットワーク管理80は、オペレーションサポートシステム10とネットワーク管理仮想化管理装置30とを仮想化することによって生成される、またはネットワーク機能仮想化オーケストレータ20とネットワーク管理仮想化管理装置30とを仮想化することによって生成されることに留意されたい。したがって、仮想ネットワーク管理は、1つの物理エンティティに統合されてもよいし、複数の物理エンティティに統合されてもよい、すなわち、ネットワーク管理機能を、複数の物理エンティティの機能モジュールを使用して実施するのであってもよい。
【０１１２】
NFVOノードと、VNFMノードと、VIMノードとは、NFV-MANO（Network Function Virtualization Management and Orchestrator、ネットワーク機能仮想化管理およびオーケストレータ）に含まれていることに留意されたい。仮想通信ネットワークは、少なくとも1つのEMSと少なくとも1つのVNFとを含んでよく、EMSは、ネットワーク管理を仮想化してよく、各VNFの機能は異なってよい。仮想ネットワーク管理の機能とVNFの機能とを、実施するために1つの物理装置に統合してもよいし、実施するためにそれぞれ異なる物理装置に統合してもよい。基盤となる支援アーキテクチャにおけるNFVIノードは、コンピューティングリソースと、ストレージリソースと、伝送リソースとを含む。
【０１１３】
仮想ネットワーク管理を実施するための上記システムは、クラウドシステムに基づいて実施してよく、クラウドシステムは、クラウドコンピューティングとクラウドストレージとを主に含む。クラウドコンピューティングは、分散コンピューティングを指し、サーバクラスタがデータセンターを使用して様々な場所に設定され、ネットワークを使用して異なるアプリケーションがユーザに提供される。クラウドストレージは、ユーザデータがクラウド上に格納されることを意味し、これにより、ストレージ用にローカルリソースを使用しなくて済み、オフサイト使用およびオフサイトストレージの目的が達成される。
【０１１４】
OSSは、統合および情報リソース共有のための、運用者の支援システムであり、これは、ネットワーク管理、システム管理、アカウンティング、事業運営、アカウンティング、顧客サービスなどの部分を主に含む。EMSは、1つ以上のネットワークエレメントを管理するシステムである。VNFは、通信ネットワークにおいて物理エンティティ装置を実施するために使用される機能をクラウドシステム上で実施してよい、すなわち、VNFは、仮想ネットワークエレメントである。例えば、VNFは、移動管理エンティティまたは基地局などのネットワークエレメントの機能を実施してよい。NFVOは、VNFを配備するために使用され、VNFMは、VNFを管理するために使用され、VIMは、NFVIを管理するために使用される。
【０１１５】
例示的には、VNFは、基地局機能を実装する必要があることが想定され、運用者は、OSSがVNFを構成する基地局機能を使用してよく、OSSとEMSとの間のインターフェース、およびEMSとVNFとの間のインターフェースを使用して、VNFに構成情報が送信される。次いで、VNFは、仮想通信ネットワークのセルカバレッジを実施するように、NFVOを使用して配備され、その結果、ユーザは電話をかけることができる。VNFは、VNFMを使用してさらに管理されてよく、VNFは、移動管理エンティティ機能を有し得る。
【０１１６】
実施方式の上記説明から、当業者であれば、必要な汎用ハードウェアプラットフォームに加えてソフトウェアによって各実施形態における方法の一部または全部のステップを実施し得ることを明確に理解し得ることがわかる。そうした理解に基づき、本発明の技術解決策を本質的に、または従来技術に寄与する部分をソフトウェア製品の形態で実現してよい。ソフトウェア製品はROM／RAM、磁気ディスク、または光ディスクなどの記憶媒体に記憶されてよく、（パーソナルコンピュータ、サーバ、もしくはメディアゲートウェイなどのネットワーク機器とすることができる）コンピュータデバイスに、本発明の各実施形態または各実施形態の一部で記述されている方法を実行するよう命令するためのいくつかの命令を含む。
【０１１７】
本明細書における各実施形態は、漸進的な方式ですべて説明されており、実施形態における同じまたは同様の部分についてはこれらの実施形態を参照でき、各実施形態は他の実施形態との違いに焦点を当てていることに留意されたい。特に、装置およびシステムの実施形態は、方法の実施形態と基本的に同様であり、したがって、簡単に説明されており、関連する部分については、方法の実施形態における部分説明を参照できる。説明された装置およびシステムの実施形態は、単なる例示である。別々の部品として記述されたユニットは物理的に分離している場合もそうでない場合もあり、ユニットとして表示された部品は、物理的ユニットである場合もそうでない場合もあり、一箇所に位置する場合もあり、複数のネットワークユニット上に分散される場合もある。モジュールの一部または全部を、各実施形態の解決策の目的を達成するための実際の必要に従って選択することもできる。当業者であれば、創造的努力がなくても、本発明の各実施形態を理解および実施できる。
【０１１８】
要するに、上記の説明は、本発明の単なる例示的な実施形態であり、本発明の保護範囲を限定することを意図するものではない。本発明の趣旨および原理から逸脱することなくなされる、あらゆる修正、均等な置き換え、または改良は、本発明の保護範囲内に含まれるものとする。
【符号の説明】
【０１１９】
10  オペレーションサポートシステム
20  ネットワーク機能仮想化オーケストレータ
30  ネットワーク管理仮想化管理装置
40  仮想ネットワーク機能
50  仮想ネットワーク機能管理装置
60  仮想基盤管理装置
70  ネットワーク機能仮想基盤
80  仮想ネットワーク管理
401  第1の設定ユニット
402  仮想化命令ユニット
501  受信ユニット
502  仮想化制御ユニット
【図１】
2017517211.tif 000003
【図２】
2017517211.tif 000004
【図３】
2017517211.tif 000005
【図４】
2017517211.tif 000006
【図５】
2017517211.tif 000007
【図６】
2017517211.tif 000008
【図７】
2017517211.tif 000009
【図８】
2017517211.tif 000010
【手続補正書】
【提出日】平成29年1月5日(2017.1.5)
【手続補正１】
【補正対象書類名】明細書
【補正対象項目名】００３１
【補正方法】変更
【補正の内容】
【００３１】
ネットワークエレメント（Network Element）は、通信システムにおける様々な装置の総称である。例えば、3G広帯域符号分割多元接続（Wideband Code Division Multiple Access、WCDMA（登録商標））ネットワークにおける、無線ネットワーク制御装置（Radio Network Controller、RNC）、サービングGPRSサポートノード（Serving GPRS Supporting Node、SGSN）、移動通信交換局（Mobile Switching Center、MSC）、スイッチ、および多重化装置、ならびにロングタームエボリューションシステムにおける発展型NodeBなどの装置は、すべて、ネットワークエレメントと呼ぶことができる。
【手続補正２】
【補正対象書類名】明細書
【補正対象項目名】００６１
【補正方法】変更
【補正の内容】
【００６１】
通信システムにおいて仮想化できる汎用装置が1つだけしかない場合、ネットワーク管理仮想化管理装置は、汎用装置上に仮想ネットワーク管理を配備する。通信システムにおいて仮想化できる汎用装置が複数ある場合、本発明では、通信ネットワークリソースをより良く使用するために、配備ポリシーの構成をさらに考慮する。
【手続補正３】
【補正対象書類名】明細書
【補正対象項目名】０１０５
【補正方法】変更
【補正の内容】
【０１０５】
またさらに、本発明の一実施形態は、仮想ネットワーク管理を実施するための上記装置のハードウェア構成をさらに提供する。ハードウェア構成は、少なくとも1つのプロセッサ（例えば、CPU）と、少なくとも1つのネットワークインターフェースまたは別の通信インターフェースと、メモリと、これらの装置間の接続および通信を実施するように構成された少なくとも1つの通信バスとを含み得る。プロセッサは、メモリに格納されたコンピュータプログラムなどの実行可能モジュールを実行するように構成される。メモリは、高速ランダムアクセスメモリ（RAM：Random Access Memory）を含んでよく、また、少なくとも1つの磁気ディスクメモリなどの不揮発性メモリ（non-volatile memory）を含んでよい。少なくとも1つのネットワークインターフェース（有線であっても無線であってもよい）は、インターネット、広域ネットワーク、ローカルエリアネットワーク、メトロポリタンエリアネットワークなどを介する、装置と少なくとも1つの他のネットワークエレメントとの間の通信接続を実施する。
【手続補正４】
【補正対象書類名】明細書
【補正対象項目名】０１０９
【補正方法】変更
【補正の内容】
【０１０９】
本発明の一実施形態は、仮想ネットワーク管理を実施するためのシステムをさらに提供する。図8は、本発明の一実施形態による仮想ネットワーク管理を実施するためのシステムアーキテクチャの概略図を示しており、本システムは、オペレーションサポートシステム（Operation Support System、OSS）ノード10と、NFVO（Network Function Virtualization Orchestrator、ネットワーク機能仮想化オーケストレータ）ノード20と、V-O＆M Manager（Virtual Network management Manager、ネットワーク管理仮想化管理装置）ノード30と、VNF（Virtual Network Function、仮想ネットワーク機能）ノード40と、VNFM（Virtual Network Function Manager、仮想ネットワーク機能管理装置）ノード50と、VIM（Virtualized Infrastructure Manager、仮想基盤管理装置）ノード60と、VFVI（Virtual Network Function Manager、ネットワーク機能仮想基盤）ノード70と、V-O＆M（Virtual Network management、仮想ネットワーク管理）ノード80とを含み得る。
【手続補正５】
【補正対象書類名】特許請求の範囲
【補正対象項目名】全文
【補正方法】変更
【補正の内容】
【特許請求の範囲】
【請求項１】
仮想ネットワーク管理を実施するための方法であって、
ネットワーク機能仮想化オーケストレータまたはオペレーションサポートシステムにより、仮想ネットワーク管理の構成情報を設定するステップであって、前記構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、ステップと、
前記ネットワーク機能仮想化オーケストレータまたは前記オペレーションサポートシステムにより、ネットワーク管理仮想化管理装置に、前記構成情報に従ってネットワーク管理機能仮想化を完了させるように命令するステップと、
を含む方法。
【請求項２】
前記ネットワーク管理機能の前記構成情報は、以下の機能、すなわち、
障害管理機能、構成管理機能、アカウンティング管理機能、性能管理機能、セキュリティ管理機能、拡張仮想化管理機能、仮想化リソースおよびサービス連携機能、または仮想ネットワーク管理による、前記仮想ネットワーク管理によって管理される、ネットワークエレメントと仮想リソースとの間のマッピング関係の調整機能
のうちの1つまたはこれらの組み合わせを実施するために使用される、請求項1に記載の方法。
【請求項３】
前記ネットワーク管理機能と前記別の仮想ネットワークエンティティとの間の前記トポロジ関係の前記構成情報は、以下の構成、すなわち、
前記仮想ネットワーク管理と仮想ネットワークエンティティとの間の相互接続関係、配備時の位置関係設定、または前記仮想ネットワーク管理と仮想ネットワークエンティティとの間の数量比率関係
のうちの1つまたはこれらの組み合わせを含み、
前記仮想ネットワークエンティティは、以下のもの、すなわち、
前記仮想ネットワーク管理によって管理されるネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む、請求項1または2に記載の方法。
【請求項４】
前記ネットワーク管理関連インターフェースの構成は、前記仮想ネットワーク管理と前記仮想ネットワークエンティティとの間のインターフェース構成を含み、
前記仮想ネットワークエンティティは、以下のもの、すなわち、
前記仮想ネットワーク管理によって管理される仮想機能ネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含み、
前記インターフェース構成は、以下の構成情報、すなわち、
インターフェース名、インターフェース位置、インターフェースコンテンツ記述、インターフェース伝送のためのコンテンツ形式もしくは送信シーケンス、インターフェースによって使用される伝送プロトコル名もしくはプロトコル番号もしくは対応する規格文書番号、インターフェース伝送帯域幅要件、インターフェース伝送遅延要件、インターフェースに対応するアドレス結合要件、アドレス数量要件、またはインターフェースセキュリティポリシー設定
のうちの1つまたはこれらの組み合わせを含む、請求項1から3のいずれか一項に記載の方法。
【請求項５】
前記ライフサイクルの前記構成情報は、以下の構成情報、すなわち、
前記仮想ネットワーク管理のライフサイクル期間、ネットワーク管理起動時点、ネットワーク管理を休止状態にし得るかどうか、および／もしくは休止状態条件、またはネットワーク管理仮想化を完了するために要する時間の制限もしくは時点の制限
のうちの1つまたはこれらの組み合わせを含む、請求項1から4のいずれか一項に記載の方法。
【請求項６】
前記ネットワーク管理性能要件の構成は、以下の構成情報、すなわち、
イベントに対する前記仮想ネットワーク管理の最短応答期間、前記仮想ネットワーク管理の定期的な評価のための最大および／もしくは最小間隔、またはネットワークイベントもしくはネットワーク管理タスクを処理するための前記仮想ネットワーク管理の数量上限もしくは関連するユーザの人数上限
のうちの1つまたはこれらの組み合わせを含む、請求項1から5のいずれか一項に記載の方法。
【請求項７】
前記配備ポリシーの構成は、以下のポリシー、すなわち、
仮想ネットワーク管理を、前記仮想ネットワーク管理によって管理されるネットワークエレメントの汎用装置上に配備すること、仮想ネットワーク管理を、前記仮想ネットワーク管理によって管理される前記ネットワークエレメントの前記汎用装置に隣接する汎用装置上に配備すること、仮想ネットワーク管理を、比較的高い仮想リソース使用率を有する装置上に配備すること、または仮想ネットワーク管理を、予め設定した地理的位置にある装置上に配備すること
のうちの1つまたはこれらの組み合わせを含む、請求項1から6のいずれか一項に記載の方法。
【請求項８】
仮想ネットワーク管理を実施するための方法であって、
ネットワーク管理仮想化管理装置により、ネットワーク機能仮想化オーケストレータまたはオペレーションサポートシステムによって送信される命令を受信するステップと、
前記ネットワーク管理仮想化管理装置により、受信した前記命令に従って構成情報を読み出し、前記構成情報に従ってネットワーク管理機能仮想化を完了するステップであって、前記構成情報は、仮想化を完了するために、前記ネットワーク機能仮想化オーケストレータまたは前記オペレーションサポートシステムによって予め設定される情報であり、前記構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、ステップと、
を含む方法。
【請求項９】
前記ネットワーク管理仮想化管理装置により、受信した前記命令に従って構成情報を読み出し、前記構成情報に従ってネットワーク管理機能仮想化を完了する前記ステップが、
前記ネットワーク管理仮想化管理装置により、受信した前記命令に従って、前記ネットワーク機能仮想化オーケストレータまたは前記オペレーションサポートシステムから前記構成情報を取得するステップと、
前記ネットワーク管理仮想化管理装置により、前記構成情報に従って汎用装置を選択し、選択した前記汎用装置をネットワーク管理に仮想化するステップと、
を含む、請求項8に記載の方法。
【請求項１０】
仮想ネットワーク管理を実施するための装置であって、
仮想ネットワーク管理の構成情報を設定するように構成された設定ユニットであって、前記構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、設定ユニットと、
ネットワーク管理仮想化管理装置に、前記構成情報に従ってネットワーク管理機能仮想化を完了させるように命令するように構成された仮想化命令ユニットと、
を備える装置。
【請求項１１】
前記構成情報が前記ネットワーク管理機能の前記構成情報である場合、前記設定ユニットは、前記仮想ネットワーク管理の以下の機能、すなわち、
障害管理機能、構成管理機能、アカウンティング管理機能、性能管理機能、セキュリティ管理機能、拡張仮想化管理機能、仮想化リソースおよびサービス連携機能、または仮想ネットワーク管理による、前記仮想ネットワーク管理によって管理される、ネットワークエレメントと仮想リソースとの間のマッピング関係の調整機能
のうちの1つまたはこれらの組み合わせを設定するように構成される、請求項10に記載の装置。
【請求項１２】
前記構成情報が前記ネットワーク管理機能と前記別の仮想ネットワークエンティティとの間の前記トポロジ関係の前記構成情報である場合、
前記設定ユニットは、前記ネットワーク管理機能と前記別の仮想ネットワークエンティティとの間の前記トポロジ関係を設定するように構成され、
前記トポロジ関係は、以下の構成、すなわち、
前記仮想ネットワーク管理と仮想ネットワークエンティティとの間の相互接続関係、配備時の位置関係設定、または前記仮想ネットワーク管理と仮想ネットワークエンティティとの間の数量比率関係
のうちの1つまたはこれらの組み合わせを含み、
前記仮想ネットワークエンティティは、以下のもの、すなわち、
前記仮想ネットワーク管理によって管理されるネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含む、請求項10または11に記載の装置。
【請求項１３】
前記構成情報が前記ネットワーク管理関連インターフェースの前記構成情報である場合、前記設定ユニットは、前記仮想ネットワーク管理と前記仮想ネットワークエンティティとの間のインターフェース構成を設定するように構成され、
前記仮想ネットワークエンティティは、以下のもの、すなわち、
前記仮想ネットワーク管理によって管理される仮想機能ネットワークエレメント、ネットワーク機能仮想化オーケストレータ、ネットワーク機能仮想化管理装置、仮想基盤管理装置、または仮想リソースもしくはネットワーク機能の仮想マシン
のうちの1つまたはこれらの組み合わせを含み、
前記インターフェース構成は、以下の構成情報、すなわち、
インターフェース名、インターフェース位置、インターフェースコンテンツ記述、インターフェース伝送のためのコンテンツ形式もしくは送信シーケンス、インターフェースによって使用される伝送プロトコル名もしくはプロトコル番号もしくは対応する規格文書番号、インターフェース伝送帯域幅要件、インターフェース伝送遅延要件、インターフェースに対応するアドレス結合要件、アドレス数量要件、またはインターフェースセキュリティポリシー設定
のうちの1つまたはこれらの組み合わせを含む、請求項10から12のいずれか一項に記載の装置。
【請求項１４】
前記構成情報が前記ライフサイクルの前記構成情報である場合、前記設定ユニットは、前記仮想ネットワーク管理の以下の構成情報、すなわち、
前記仮想ネットワーク管理のライフサイクル期間、ネットワーク管理起動時点、ネットワーク管理を休止状態にし得るかどうか、および／もしくは休止状態条件、またはネットワーク管理仮想化を完了するために要する時間の制限もしくは時点の制限
のうちの1つまたはこれらの組み合わせを設定するように構成される、請求項10から13のいずれか一項に記載の装置。
【請求項１５】
前記構成情報が前記ネットワーク管理性能要件の構成情報である場合、前記設定ユニットは、前記仮想ネットワーク管理の以下の構成情報、すなわち、
イベントに対する前記仮想ネットワーク管理の最短応答期間、前記仮想ネットワーク管理の定期的な評価のための最大および／もしくは最小間隔、またはネットワークイベントもしくはネットワーク管理タスクを処理するための前記仮想ネットワーク管理の数量上限もしくは関連するユーザの人数上限
のうちの1つまたはこれらの組み合わせを設定するように構成される、請求項10から14のいずれか一項に記載の装置。
【請求項１６】
前記構成情報が前記配備ポリシーの構成である場合、前記設定ユニットは、以下のポリシー、すなわち、
仮想ネットワーク管理を、前記仮想ネットワーク管理によって管理されるネットワークエレメントの汎用装置上に配備すること、仮想ネットワーク管理を、前記仮想ネットワーク管理によって管理される前記ネットワークエレメントの前記汎用装置に隣接する汎用装置上に配備すること、仮想ネットワーク管理を、比較的高い仮想リソース使用率を有する装置上に配備すること、または仮想ネットワーク管理を、予め設定した地理的位置にある装置上に配備すること
のうちの1つまたはこれらの組み合わせを設定するように構成される、請求項10から15のいずれか一項に記載の装置。
【請求項１７】
仮想ネットワーク管理を実施するための装置であって、
ネットワーク機能仮想化オーケストレータまたはオペレーションサポートシステムによって送信される命令を受信するように構成された受信ユニットと、
受信した前記命令に従って構成情報を読み出し、前記構成情報に従ってネットワーク管理機能仮想化を完了するように構成された仮想化制御ユニットであって、前記構成情報は、仮想化を完了するために、前記ネットワーク機能仮想化オーケストレータまたは前記オペレーションサポートシステムによって予め設定される情報であり、前記構成情報は、以下の構成情報、すなわち、
ネットワーク管理機能の構成情報、ネットワーク管理機能と別の仮想ネットワークエンティティとの間のトポロジ関係の構成情報、ネットワーク管理関連インターフェースの構成情報、ライフサイクルの構成情報、ネットワーク管理性能要件の構成情報、または配備ポリシーの構成情報
のうちの少なくとも1つまたはこれらの組み合わせを含む、仮想化制御ユニットと、
を備える装置。
【請求項１８】
前記仮想化制御ユニットは、
受信した前記命令に従って、前記ネットワーク機能仮想化オーケストレータまたは前記オペレーションサポートシステムから前記構成情報を取得するように構成された読み出しサブユニットと、
前記構成情報に従って汎用装置を選択し、選択した前記汎用装置をネットワーク管理に仮想化するように構成された仮想化サブユニットと、
を備える、請求項17に記載の装置。
【請求項１９】
仮想ネットワーク管理を実施するためのシステムであって、
請求項10から16のいずれか一項に記載の装置と、
請求項17または18に記載の装置と、
を備え、
前記2つの装置が互いに通信する、システム。
【請求項２０】
請求項1から7のいずれか一項に記載の方法を実行するための命令を含むプログラムを格納した、コンピュータ読み取り可能な記録媒体。
【請求項２１】
請求項8または9に記載の方法を実行するための命令を含むプログラムを格納した、コンピュータ読み取り可能な記録媒体。
【国際調査報告】
2017517211.tif 000011
2017517211.tif 000012
2017517211.tif 000013
2017517211.tif 000014